(57)【要約】【課題】入浴時に生じるのぼせを防止し、しかも取扱が容易で、低コストである。【解決手段】頭部後側冷却袋体１は、出し入れ可能な開閉部２ａを有する可撓性の袋体２と、この袋体２の内部に開閉部２ａから収納される保冷剤３と、袋体２に設けられた吸盤４とからなる。【選択図】図２
2005124606.tif 000002
【特許請求の範囲】
【請求項１】
出し入れ可能な開閉部を有する可撓性の袋体と、この袋体の内部に前記開閉部から収納される保冷剤と、前記袋体に設けられた吸盤とからなることを特徴とする頭部後側冷却袋体。
【請求項２】
前記保冷剤は、アイスノン（登録商標）であることを特徴とする請求項１に記載の頭部後側冷却袋体。
【請求項３】
可撓性の袋体と、この袋体の内部に収納された保冷剤と、前記袋体に設けられた吸盤とからなることを特徴とする頭部後側冷却袋体。
【請求項４】
前記保冷剤は、水、または冷凍ジェルであることを特徴とする請求項３に記載の頭部後側冷却袋体。
【請求項５】
可撓性の袋体と、この袋体の内部に保冷剤を注入する注入部と、前記袋体に設けられた吸盤とからなることを特徴とする頭部後側冷却袋体。
【請求項６】
前記保冷剤は、水、または冷凍ジェルであることを特徴とする請求項５に記載の頭部後側冷却袋体。
【請求項７】
前記袋体は、頭部後側が当たる部分に凸部を有することを特徴とする請求項１乃至請求項６のいずれか１項に記載の頭部後側冷却袋体。
【発明の詳細な説明】
【技術分野】
【０００１】
この発明は、入浴時に頭部後側を冷却する頭部後側冷却袋体に関する。
【背景技術】
【０００２】
従来、水枕、氷枕、氷嚢等は人が風邪などの発熱時に前頭部及び後頭部を冷却するために使用されているが（特許文献１）、入浴時に頭部を冷却してのぼせることを防止するものはない。
【特許文献１】特開平８−２７５９６８号公報
【発明の開示】
【発明が解決しようとする課題】
【０００３】
入浴時には、のぼせを防止するために、冷やしたタオルを頭に載せているが、タオルが直に温かくなる。また、冷やしたタオルは頭の頂部に載せているが、頭の頂部では冷却する効果があまりなく、さらにタオルが頭部から落下し易い。
【０００４】
この発明は、かかる点に鑑みてなされたもので、入浴時に生じるのぼせを防止し、しかも取扱が容易で、低コストである頭部後側冷却袋体を提供することを目的としている。
【課題を解決するための手段】
【０００５】
前記課題を解決し、かつ目的を達成するために、この発明は、以下のように構成した。
【０００６】
請求項１に記載の発明は、出し入れ可能な開閉部を有する可撓性の袋体と、この袋体の内部に前記開閉部から収納される保冷剤と、前記袋体に設けられた吸盤とからなることを特徴とする頭部後側冷却袋体である。
【０００７】
この請求項１に記載の発明によれば、頭部後側冷却袋体の吸盤を浴槽の縁に吸着し、浴槽に入った状態で可撓性の袋体に頭の後側を載せることで、袋体の内部に収納された保冷剤によって冷却され、入浴時に生じるのぼせを防止することができる。しかも、吸盤を浴槽に縁に吸着することで、簡単かつ確実に取り付けることができ、取扱が容易である。さらに、袋体の内部に開閉部から保冷剤が収納され、冷凍した保冷剤を簡単に収納でき、さらに吸盤で浴槽の縁に吸着する簡単な構造で、低コストである。
【０００８】
請求項２に記載の発明は、前記保冷剤は、アイスノン（登録商標）であることを特徴とする請求項１に記載の頭部後側冷却袋体である。
【０００９】
この請求項２に記載の発明によれば、保冷剤は、アイスノン（登録商標）であり、容易に袋体の内部に開閉部から収納し冷凍して使用することができる。
【００１０】
請求項３に記載の発明は、可撓性の袋体と、この袋体の内部に収納された保冷剤と、前記袋体に設けられた吸盤とからなることを特徴とする頭部後側冷却袋体である。
【００１１】
この請求項３に記載の発明によれば、頭部後側冷却袋体の吸盤を浴槽の縁に吸着し、浴槽に入った状態で可撓性の袋体に頭の後側を載せることで、袋体の内部に収納された保冷剤によって冷却され、入浴時に生じるのぼせを防止することができる。しかも、吸盤を浴槽に縁に吸着することで、簡単かつ確実に取り付けることができ、取扱が容易である。さらに、可撓性の袋体の内部に保冷剤を収納し、吸盤で浴槽の縁に吸着する簡単な構造で、低コストである。
【００１２】
請求項４に記載の発明は、前記保冷剤は、水、または冷凍ジェルであることを特徴とする請求項３に記載の頭部後側冷却袋体である。
【００１３】
この請求項４に記載の発明によれば、保冷剤は、水、または冷凍ジェルであり、容易に冷凍して使用することができる。
【００１４】
請求項５に記載の発明は、可撓性の袋体と、この袋体の内部に保冷剤を注入する注入部と、前記袋体に設けられた吸盤とからなることを特徴とする頭部後側冷却袋体である。
【００１５】
この請求項５に記載の発明によれば、使用時に枕体の内部に保冷剤を注入して冷却し、頭部後側冷却袋体の吸盤を浴槽の縁に吸着し、浴槽に入った状態で可撓性の袋体に頭の後側を載せることで、袋体の内部に収納された保冷剤によって冷却され、入浴時に生じるのぼせを防止することができる。しかも、吸盤を浴槽の縁に吸着することで、簡単かつ確実に取り付けることができ、使用後は、保冷剤を袋体の内部から出して保管でき、取扱が容易である。さらに、可撓性の袋体に注入部を設け、注入部から保冷剤を出し入れ可能で、しかも吸盤は浴槽の縁に吸着する簡単な構造で、低コストである。
【００１６】
請求項６に記載の発明は、前記保冷剤は、水、または冷凍ジェルであることを特徴とする請求項５に記載の頭部後側冷却袋体である。
【００１７】
この請求項６に記載の発明によれば、保冷剤は、水、または冷凍ジェルであり、容易に枕体の内部に注入し冷凍して使用することができる。
【００１８】
請求項７に記載の発明は、前記袋体は、頭部後側が当たる部分に凸部を有することを特徴とする請求項１乃至請求項６のいずれか１項に記載の頭部後側冷却袋体である。
【００１９】
この請求項７に記載の発明によれば、袋体は、頭部後側が当たる部分に凸部を有し、凸部によって頭部後側が刺激され、指圧することができる。
【発明の効果】
【００２０】
前記したように、請求項１に記載の発明では、頭部後側冷却袋体の吸盤を浴槽の縁に吸着し、浴槽に入った状態で可撓性の袋体に頭の後側を載せることで、袋体の内部に収納された保冷剤によって冷却され、入浴時に生じるのぼせを防止することができる。しかも、吸盤を浴槽に縁に吸着することで、簡単かつ確実に取り付けることができ、取扱が容易である。さらに、袋体の内部に開閉部から保冷剤が収納され、冷凍した保冷剤を簡単に収納でき、さらに吸盤で浴槽の縁に吸着する簡単な構造で、低コストである。
【００２１】
請求項２に記載の発明では、保冷剤は、アイスノン（登録商標）であり、容易に袋体の内部に開閉部から収納し冷凍して使用することができる。
【００２２】
請求項３に記載の発明では、頭部後側冷却袋体の吸盤を浴槽の縁に吸着し、浴槽に入った状態で可撓性の袋体に頭の後側を載せることで、袋体の内部に収納された保冷剤によって冷却され、入浴時に生じるのぼせを防止することができる。しかも、吸盤を浴槽に縁に吸着することで、簡単かつ確実に取り付けることができ、取扱が容易である。さらに、可撓性の袋体の内部に保冷剤を収納し、吸盤で浴槽の縁に吸着する簡単な構造で、低コストである。
【００２３】
請求項４に記載の発明では、保冷剤は、水、または冷凍ジェルであり、容易に冷凍して使用することができる。
【００２４】
請求項５に記載の発明では、使用時に枕体の内部に保冷剤を注入して冷却し、頭部後側冷却袋体の吸盤を浴槽の縁に吸着し、浴槽に入った状態で可撓性の袋体に頭の後側を載せることで、袋体の内部に収納された保冷剤によって冷却され、入浴時に生じるのぼせを防止することができる。しかも、吸盤を浴槽の縁に吸着することで、簡単かつ確実に取り付けることができ、使用後は、保冷剤を袋体の内部から出して保管でき、取扱が容易である。さらに、可撓性の袋体に注入部を設け、注入部から保冷剤を出し入れ可能で、しかも吸盤は浴槽の縁に吸着する簡単な構造で、低コストである。
【００２５】
請求項６に記載の発明では、保冷剤は、水、または冷凍ジェルであり、容易に枕体の内部に注入し冷凍して使用することができる。
【００２６】
請求項７に記載の発明では、袋体は、頭部後側が当たる部分に凸部を有し、凸部によって頭部後側が刺激され、指圧することができる。
【発明を実施するための最良の形態】
【００２７】
以下、この発明の頭部後側冷却袋体の実施の形態を図面に基づいて説明するが、この発明は、この実施の形態に限定されない。また、この発明の実施の形態は、発明の最も好ましい形態を示すものであり、この発明の用語の意義は、これに限定されない。
【００２８】
まず、第１の実施の形態を図１及び図２に示す。図１は頭部後側冷却袋体を示す図、図２は頭部後側冷却袋体の使用状態を示す図である。
この実施の形態の頭部後側冷却袋体１は、出し入れ可能な開閉部２ａを有する可撓性の袋体２と、この袋体２の内部に開閉部２ａから収納される保冷剤３と、袋体２に設けられた吸盤４とからなる。
【００２９】
袋体２は、樹脂、あるいは防水加工した布等で形成され、頭部後側が当たる部分に凸部２ｂを有し、この凸部２ｂによって頭部後側が刺激され、指圧することができる。
【００３０】
また、袋体２の開閉部２ａはファスナーで構成される。保冷剤３は、アイスノン（登録商標）であり、容易に袋体２の内部に開閉部２ａから収納し冷凍して使用することができる。
【００３１】
吸盤４は、袋体２と一体に形成してもよく、あるいは別体に形成して接着剤等で取り付けてもよい。また、吸盤４の個数も、１個でも、複数でもよく、特に限定されない。
【００３２】
この実施の形態の頭部後側冷却袋体１を使用する際には、冷蔵庫等に入れて保冷剤３を冷却する。そして、頭部後側冷却袋体１の吸盤４を浴槽５の縁に吸着し、浴槽に入った状態で可撓性の袋体２に頭の後側を載せ、枕にした状態で袋体２の内部に収納された保冷剤３によって冷却され、入浴時に生じるのぼせを防止することができ快適である。
【００３３】
しかも、吸盤４を浴槽５の縁に吸着することで、頭部後側冷却袋体１を簡単かつ確実に取り付けることができ、取扱が容易である。さらに、可撓性の袋体２の内部に開閉部２ａから保冷剤３を収納し、吸盤４は浴槽５の縁に吸着する簡単な構造で、低コストである。
【００３４】
次に、第２の実施の形態を図３に示す。図３は頭部後側冷却袋体を示す図である。この実施の形態の頭部後側冷却袋体１は、袋体２の開閉部２ａがマジックテープで構成され、容易に袋体２の内部に開閉部２ａから保冷剤３を収納し冷凍して使用することができる。この開閉部２ａ以外は、図１及び図２と同様に構成されるから説明を省略する。
【００３５】
次に、第３の実施の形態を図４に示す。図４は頭部後側冷却袋体を示す図である。この実施の形態の頭部後側冷却袋体１は、可撓性の袋体２と、この袋体２の内部に収納された保冷剤３と、袋体２に設けられた吸盤４とからなる。袋体２は、樹脂、あるいは防水加工した布等で形成され、頭部後側が当たる部分に凸部２ｂを有し、この凸部２ｂによって頭部後側が刺激され、指圧することができる。保冷剤３は、水、または冷凍ジェルであり、種々の保冷剤を状況に応じて使用することができる。
【００３６】
次に、第４の実施の形態を図５に示す。図５は頭部後側冷却袋体を示す図である。
【００３７】
この実施の形態の頭部後側冷却袋体１は、可撓性の袋体２と、この袋体２の内部に保冷剤３に注入する注入部１５と、袋体２に設けられた吸盤４とからなる。この実施の形態の袋体２、保冷剤３、吸盤４は、第３の実施の形態の袋体２、保冷剤３、吸盤４と同様に構成されるが、この実施の形態では注入部１５が設けられている。この注入部１５は、袋体２に一体に形成した注入口１５ａと、キャップ１５ｂから構成される。
【００３８】
この実施の形態の頭部後側冷却袋体１を使用する際には、注入部１５のキャップ１５ｂを外し、注入口１５ａから袋体２の内部に保冷剤３に注入し、キャップ１５ｂで注入口１５ａを閉じる。そして、頭部後側冷却袋体１を冷蔵庫等に入れて保冷剤３を冷却して使用する。
【００３９】
使用後は、キャップ１５ｂを外し、注入口１５ａから袋体２の内部に保冷剤３に出して保管でき、取扱が容易である。
【図面の簡単な説明】
【００４０】
【図１】第１の実施の形態の頭部後側冷却袋体を示す図である。
【図２】頭部後側冷却袋体の使用状態を示す図である。
【図３】第２の実施の形態の頭部後側冷却袋体を示す図である。
【図４】第３の実施の形態の頭部後側冷却袋体を示す図である。
【図５】第４の実施の形態の頭部後側冷却袋体を示す図である。
【符号の説明】
【００４１】
１  頭部後側冷却袋体
２  袋体
３  保冷剤
４  吸盤
１５  注入部
【図１】
2005124606.tif 000003
【図２】
2005124606.tif 000004
【図３】
2005124606.tif 000005
【図４】
2005124606.tif 000006
【図５】
2005124606.tif 000007